(57)【要約】画像処理基盤の水分及び光透過度測定システム、及びこれを用いた水分並びに透過度測定方法において、前記画像処理基盤の水分及び光透過度測定システムは、金属材に対するコーティング条件と同一のコーティング条件でコーティングされるコート紙と、前記コート紙を撮影して、第１の画像を取得する撮影用ボックス部と、前記コート紙を撮影して、第２の画像を取得する顕微鏡と、前記取得した第１及び第２の画像それぞれのＲＧＢ値を取得するＲＧＢ値判断プログラムとを含み、前記第１の画像のＲＧＢ値から、水分透過度を評価し、前記第２の画像のＲＧＢ値から、光透過度を評価することを特徴とする。【選択図】図１
2021535396.tif 000002
【特許請求の範囲】
【請求項１】
金属材に対するコーティング条件と同一のコーティング条件でコーティングされるコート紙と、
前記コート紙を撮影して、第１の画像を取得する撮影用ボックス部と、
前記コート紙を撮影して、第２の画像を取得する顕微鏡と、
前記取得した第１及び第２の画像のそれぞれのＲＧＢ値を取得するＲＧＢ値判断プログラムと、を含み、
前記第１の画像のＲＧＢ値から、水分透過度を評価し、前記第２の画像のＲＧＢ値から、光透過度を評価することを特徴とする水分及び光透過度測定システム。
【請求項２】
前記コート紙は、塩化コバルト紙であることを特徴とする請求項１に記載の水分及び光透過度測定システム。
【請求項３】
前記撮影用ボックス部は、
前記コート紙が中央部に位置する第１のボックスと、
前記第１のボックスと結合して前記コート紙を撮影する第２のボックスとを含むことを特徴とする請求項１に記載の水分及び光透過度測定システム。
【請求項４】
前記第１のボックスは、一面以上の面に形成され、ＬＥＤ照明を提供するＬＥＤ照明手段を備え、
前記第２のボックスは、中央部に撮影手段を備えることを特徴とする請求項３に記載の水分及び光透過度測定システム。
【請求項５】
前記ＲＧＢ値判断プログラムは、
画像をピクセル単位で読み取った後、これをＲ、Ｇ、Ｂの値にそれぞれ分けて保存することを特徴とする請求項１に記載の水分及び光透過度測定システム。
【請求項６】
前記ＲＧＢ値判断プログラムは、
画像全体のＲＧＢ平均値、画像においてクリックした部分のＲＧＢ値、画像においてマウスでドラッグした部分のＲＧＢ平均値、及び画像において、上、下、左、右、正中央、それぞれの隅を含む計９つのパートのＲＧＢ平均値を提供することを特徴とする請求項１に記載の水分及び光透過度測定システム。
【請求項７】
前記ＲＧＢ判断プログラムは、
画像を１０ピクセル単位で表示する目盛り表示機能と、画像のＲＧＢ平均値を用いて、白黒の色で写真を二値処理する二値処理機能と、複数の画像を連続的に処理する自動処理機能とを含むことを特徴とする請求項６に記載の水分及び光透過度測定システム。
【請求項８】
コート紙を金属材へのコーティング条件と同一のコーティング条件でコーティングするステップと、
前記コーティングされたコート紙を撮影して、第１及び第２の画像を取得するステップと、
ＲＧＢ値判断プログラムを用いて、前記取得した第１及び第２の画像のそれぞれのＲＧＢ値を取得するステップと、
前記第１及び第２の画像のそれぞれのＲＧＢ値から、コーティングの水分透過度及び光透過度をそれぞれ評価するステップと、を含むことを特徴とする水分及び光透過度測定方法。
【請求項９】
前記第１の画像を取得するステップにおいて、前記コーティングされたコート紙を、撮影用ボックス部の中央部に位置させて撮影することを特徴とする請求項８に記載の水分及び光透過度測定方法。
【請求項１０】
前記第２の画像を取得するステップにおいて、前記コーティングされたコート紙を、顕微鏡で撮影することを特徴とする請求項８に記載の水分及び光透過度測定方法。
【発明の詳細な説明】
【技術分野】
【０００１】
本発明は、画像処理基盤の水分及び光透過度測定システム、並びにこれを用いた水分及び光透過度測定方法に関し、より詳しくは、コーティングの完成度をテストし、評価するための画像処理基盤の水分及び光透過度測定システム、並びにこれを用いた水分及び光透過度測定方法に関する。
【背景技術】
【０００２】
一般に、電子回路は、電気信号を授受する特性から、乾冷維持しなければならない。しかし、水浸しの可能性のある湿った環境では、電子回路の安定的な作動を保障しない。そのため、水浸しを防止するため、回路に複数の工程によるコーティングを行わなければならない。ところが、電子回路のコーティングに際して、工程の手順、時間、コーティング素材、厚さのような完成度に影響を及ぼす要素が多くて、これを定量的に測定する必要がある。
【０００３】
これに関して、大韓民国公開特許第１０−２０１２−００１４６３８号には、携帯端末機用ケースの表面に良好に非伝導コーティング層が形成されているか否かを、迅速で且つ正確にテストするためのテスト装置が開示されており、大韓民国公開特許第１０−２０１２−００６３１９５号には、樹脂のようなコーティング物質の素材(鋼板)のコート性を予め評価するようにしたコート性評価装置が開示されている。
【０００４】
しかし、前記大韓民国公開特許第１０−２０１２−００１４６３８号の場合、コーティング素材が伝導性の場合、完成度の測定ができないという問題があり、前記大韓民国公開特許第１０−２０１２−００６３１９５号の場合、評価装置の設置が必要であり、装備が大掛かりになるという問題がある。
【０００５】
前記のように、本発明に関連する先行技術文献としては、大韓民国公開特許第１０−２０１２−００１４６３８号、及び大韓民国公開特許第１０−２０１２−００６３１９５号がある。
【０００６】
【発明の概要】
【発明が解決しようとする課題】
【０００７】
本発明は、前記のような問題を解決するためになされたもので、本発明の目的は、コーティング完成度を迅速でかつ正確に評価することができる画像処理基盤の水分及び光透過度測定システムを提供することである。
【０００８】
また、本発明の他の目的は、前記画像処理基盤の水分及び光透過度測定システムを用いた水分及び光透過度測定方法を提供することである。
【課題を解決するための手段】
【０００９】
前記した本発明の目的を実現するための一実施例による画像処理基盤の水分及び光透過度測定システムは、金属材に対するコーティング条件と同一のコーティング条件でコーティングされるコート紙と前記コート紙を撮影して、第１の画像を取得する撮影用ボックス部と、前記コート紙を撮影して、第２の画像を取得する顕微鏡と、前記取得した第１及び第２の画像それぞれのＲＧＢ値を取得するＲＧＢ値判断プログラムとを含む。
【００１０】
前記第１の画像のＲＧＢ値から、水分透過度を評価し、前記第２の画像のＲＧＢ値から、光透過度を評価することを特徴とする。
【００１１】
前記コート紙は、塩化コバルト紙である。
【００１２】
前記撮影用ボックス部は、前記コート紙が中央部に位置する第１のボックスと、前記第１のボックスと結合して前記コート紙を撮影する第２のボックスとを含む。
【００１３】
前記第１のボックスは、１面以上の面に形成され、ＬＥＤ照明を提供するＬＥＤ照明手段を備え、前記第２のボックスは、中央部に撮影手段を備える。
【００１４】
前記ＲＧＢ値判断プログラムは、画像をピクセル単位で読み取った後、これをＲ、Ｇ、Ｂの値にそれぞれ分けて保存する。
【００１５】
前記ＲＧＢ値判断プログラムは、画像全体のＲＧＢ平均値、画像においてクリックした部分のＲＧＢ値、画像においてマウスでドラッグした部分のＲＧＢ平均値、及び画像において、上、下、左、右、正中央、それぞれの隅を含む計９つの部分のＲＧＢ平均値を提供する。
【００１６】
前記ＲＧＢ判断プログラムは、画像を１０ピクセル単位で表示する目盛り表示機能と、画像のＲＧＢ平均値を用いて、白黒の色で写真を二値処理する二値処理機能と、複数の画像を連続的に処理する自動処理機能とを含む。
【００１７】
前記した本発明の他の目的を実現するための一実施例による画像処理基盤の水分及び光透過度測定システムを用いた水分及び光透過度測定方法において、コート紙を金属材へのコーティング条件と同一のコーティング条件でコーティングする。前記コーティングされたコート紙を撮影して、第１及び第２の画像を取得する。ＲＧＢ値判断プログラムを用いて、前記取得した第１及び第２の画像のそれぞれのＲＧＢ値を取得する。前記第１及び第２の画像のそれぞれのＲＧＢ値から、コーティングの水分透過度及び光透過度をそれぞれ評価する。
【００１８】
前記第１の画像を取得するステップにおいて、前記コーティングされたコート紙を、撮影用ボックス部の中央部に位置させて撮影する。
【００１９】
前記第２の画像を取得するステップにおいて、前記コーティングされたコート紙を、顕微鏡で撮影する。
【発明の効果】
【００２０】
本実施例によると、高価な装備や分析用サービスを要することなく、政略的にコート性能を評価することができ、相対的に装置の構造を簡素化して、設置スペースが狭く、コストや運営及びメインテナンス面においても、利点を提供することができる。
【００２１】
また、コート紙の水分透過度及び光透過度測定により、コーティング完成度を評価することで、実質的に金属をコーティングしなくても、金属のコート性評価のためのシミュレート実験が可能である。
【図面の簡単な説明】
【００２２】
【図１】図１は、本発明の一実施例による画像処理基盤の水分及び光透過度測定システムを示すブロック図である。
【図２】図２は、図１の画像処理基盤の水分及び光透過度測定システムにおいて、コート紙を示す図である。
【図３】図３は、図１の画像処理基盤の水分及び光透過度測定システムの水分透過度判断のための撮影用ボックス部を示す図である。
【図４】図４は、図１の画像処理基盤の水分及び光透過度測定システムにおいて、光透過度の判断のため、顕微鏡で撮影中のコート紙を示す図である。
【図５】図５は、図３の撮影用ボックス部又は図４の顕微鏡によって取得した画像を、ＲＧＢ値判断プログラムで分析する状態を示す図である。
【図６ａ】図６ａは、図５のＲＧＢ値判断プログラムの画像のドラッグ機能を行う状態を示す図である。
【図６ｂ】図６ｂは、図５のＲＧＢ値判断プログラムの画像パート機能を行う状態を示すジである。
【図７】図７は、図１の画像処理基盤の水分及び光透過度測定システムを用いた水分及び光透過度測定方法を示すフローチャートである。
【符号の説明】
【００２３】
１００: コート紙
２００: 撮影用ボックス部
３００: 顕微鏡
４００: ＲＧＢ値判断プログラム
【発明を実施するための形態】
【００２４】
本発明は、様々な変更を加えることができ、様々な形態を有することができるところ、実施例を、本文で詳細に説明しようとする。しかし、これは、本発明を特定の開示形態に限定しようとすることではなく、本発明の思想及び技術範囲に含まれる全ての変更、均等物乃至代替物を含むことと理解されるべきである。各図面を説明することに当たり、類似した図面符号を、類似した構成要素に対して使用する。第１、第２などの用語は、様々な構成要素を説明することに使用され得るが、前記構成要素を前記用語により限定してはいけない。前記用語は、１つの構成要素を、他の構成要素から区別する目的としてのみ使用される。本出願で使用された用語は、単に、特定の実施例を説明するために使われており、本発明を限定しようとする意図ではない。単数の表現は、文脈上明らかに異なることを意味しない限り、複数の表現を含む。本出願において、「含む」又は「なる」などの用語は、明細書上に記載された特徴、数字、ステップ、動作、構成要素、部品、又はこれらを組み合わせたものが存在することを指定しようとすることであり、１つ又はその以上の他の特徴や数字、ステップ、動作、構成要素、部品、又はこれらを組み合わせたものの存在又は付加可能性を予め排除しないことと理解されるべきである。
【００２５】
異なって定義しない限り、技術的又は科学的な用語を含めて、ここで使用される全ての用語は、本発明が属する技術分野における通常の知識を有する者によって、一般的に理解されるものと同一の意味を持っている。一般的に使用される辞書に定義されているような用語は、関連技術の文脈上有する意味と一致する意味を有することと解析されるべきであり、本出願において明らかに定義しない限り、理想的又は過度に形式的な意味として解析されない。
【００２６】
以下、添付の図面を参照して、本発明の好適な実施例をより詳しく説明する。
【００２７】
図１は、本発明の一実施例による画像処理基盤の水分及び光透過度測定システムを示すブロック図である。図２は、図１の画像処理基盤の水分及び光透過度測定システムにおいて、コート紙を示す図である。図３は、図１の画像処理基盤の水分及び光透過度測定システムの水分透過度判断のための撮影用ボックス部を示す図である。図４は、図１の画像処理基盤の水分及び光透過度測定システムにおいて、光透過度の判断のため、顕微鏡で撮影中のコート紙を示す図である。
【００２８】
図１に示しているように、本発明の一実施例による画像処理基盤の水分及び光透過度測定システム１０は、コーティング素材でコーティングされたコート紙１００と、撮影用ボックス部２００と、顕微鏡３００と、ＲＧＢ値判断プログラム４００とを含む。
【００２９】
前記画像処理基盤の水分及び光透過度測定システム１０は、図２に示しているように、前記コート紙を前記コーティング素材でコーティングした後、前記コーティングされたコート紙の水分及び光透過度の測定により、前記コーティング素材が電子回路に用いられる金属でコーティングされる場合のコーティング完成度を評価することを特徴とする。
【００３０】
すなわち、前記画像処理基盤の水分及び光透過度測定システム１０により、前記コーティングされたコート紙１００の水分及び光透過度を測定することによって、実質的に、金属を前記コーティング素材でコーティングしなくても、金属のコート性評価のためのシミュレート実験が可能となる。
【００３１】
このため、実際に金属に対するコーティングを行うコーティング条件と同一の条件で、前記コート紙１００に対するコーティングを行い、これに基に、コーティングの完成度を評価す。
【００３２】
この場合、前記コート紙１００は、塩化コバルト紙であり得る。
【００３３】
前記塩化コバルト紙は、通常、青色を帯びているが、化学的に水が接触するようになると、水と反応を起こして、赤色へ色の変化を起こすことは、周知のことである
【００３４】
そこで、前記コート紙１００にコーティングが正しく行われていない場合、水浸しが生じることになるが、水分と触れると、赤く変色が生じるので、このような前記コート紙１００の撮影により、変色の度合いを定量的に分析し、水浸しの水分量を把握して、コーティングの度合いを一般化することができる。
【００３５】
すなわち、前記コート紙１００が、コーティングが完璧に行われていなく、水分に接触することにつれ、青色から赤色へ色の変化を起こすと、前記コート紙１００を、前記撮影用ボックス部２００の中央部に位置させて撮影して、画像を取得することができ、前記画像の分析により、コーティングの度合いを確認することができる。
【００３６】
この場合、前記撮影用ボックスは、前記コート紙１００の水浸しとなった水分量の把握のための画像(以下、第１の画像)を撮影する装置である。前記撮影用ボックス部２００は、内部に積載空間が設けられた箱状の外形を形成し、図３に示しているように、互いに結合される第１のボックス２１０と、第２のボックス２２０とを含む。
【００３７】
前記第１のボックス２１０は、一面が開口した形状からなり、中央部に前記コート紙１００が位置し、前記コート紙１００の側面には、すなわち、一面以上の面には、ＬＥＤ照明手段２１１が設けられ、前記コート紙１００を撮影する場合、前記コート紙１００に向けてＬＥＤ照明を提供することで、前記コート紙１００の撮影が、常時一定の環境で行われるようにする。
【００３８】
前記第２のボックス２２０は、第１のボックス２１０と同じ形状、すなわち、一面が開放した箱状を有し、中央部に、前記コート紙１００を撮影する撮影手段２２１を備える。前記第２のボックス２２０は、前記第１のボックス２１０と結合される場合、前記撮影手段２２１により、前述したように、前記第１のボックス２１０の中央部に位置した前記コート紙１００を撮影して、第１の画像を取得する。
【００３９】
この場合、前記コート紙１００が水分により色の変化を起こした場合、前記第１の画像を、後述するＲＧＢ値判断プログラム４００により分析することで、すなわち、前記第１の画像からＲＧＢ値を抽出することによって、前記コート紙１００の色変化の度合いを推定することができる。
【００４０】
一方、前記コーティングされたコート紙１００は、コーティングの度合いによって透過量が異なるので、本実施例では、コーティングの完成度の評価のために、光透過度の測定を行う。すなわち、前記コート紙１００に光を透視した画像(以下、第２の画像)の照度を測定して、光透過度を評価することができる。
【００４１】
この場合、前記第２の画像は、図４に示しているように、顕微鏡３００の撮影で取得することができ、後述するＲＧＢ値判断プログラム４００を用いて、前記第２の画像からＲＧＢ値を抽出し、これに基づいて、コーティングの光透過度を評価することができる。
【００４２】
図５は、図３の撮影用ボックス部又は図４の顕微鏡によって取得した画像を、ＲＧＢ値判断プログラムで分析する状態を示す図である。図６ａは、図５のＲＧＢ値判断プログラムの画像のドラッグ機能を行う状態を示す図である。図６ｂは、図５のＲＧＢ値判断プログラムの画像パート機能を行う状態を示すジである。
【００４３】
図５に示しているように、前記撮影用ボックス部２００により取得した前記第１の画像、又は前記顕微鏡３００により取得した前記第２の画像を、ＲＧＢ値判断プログラム４００により分析する。
【００４４】
前記ＲＧＢ値判断プログラム４００で前記第１の画像を分析する場合、前記第１の画像からＲＧＢ値を抽出して、前記コート紙１００の赤く変色した度合いを確認することができるので、前記コート紙１００が吸収した水分量を確認することができ、もって、前記コート紙１００のコーティング完成度を評価することができる。
【００４５】
これとは異なり、前記ＲＧＢ値判断プログラム４００で前記第２の画像を分析する場合、前記第２の画像からＲＧＢ値を抽出して、前記コート紙１００の照度を確認することができ、更には、一般に、コーティングが正しく行われていない場合は、光の透過率が高くなり、光の透過率が高いほど照度が高くなるので、前記コート紙１００の照度により、光透過度を評価することができ、もって、コーティングの完成度を評価することができる。
【００４６】
より具体的には、前記ＲＧＢ値判断プログラム４００により、前記第１の画像又は前記第２の画像(以下、画像という)を分析する場合、前記ＲＧＢ値判断プログラム４００は、前記画像をピクセル単位で読み取った後、これをＲ、Ｇ、Ｂ値(Red、Green、Blue値)にそれぞれ分けて保存することができる。
【００４７】
この場合、前記ＲＧＢ値判断プログラム４００のウィンドウには、図５に示しているように、分析しようとする前記画像が表示され、前記画像に該当する範囲のＲＧＢ値の平均色が現れる。この場合、前記該当する範囲は、前記画像において、ユーザが指定した範囲であり得る。
【００４８】
また、前記ＲＧＢ値判断プログラム４００のウィンドウには、画像全体のＲＧＢ平均値、ユーザが画像においてクリックした部分のＲＧＢ値、ドラッグした部分のＲＧＢ値が出力される。特に、画像をドラッグする場合、図６ａに示しているように、ドラッグした部分を視覚的に確認することができる。
【００４９】
一方、前記画像は、上、下、左、右、正中央、それぞれの隅を含む計９つのパートからなるが、前記ＲＧＢ値判断プログラム４００は、図６ｂに示しているように、前記９つのパートのそれぞれのＲＧＢ平均値を出力することができる。
【００５０】
この場合、ユーザは、前記の９つのパートのそれぞれのサイズオプションを設定することができ、矢印で示されたキーパッドを通じて、前記９つのパートのうち、分析するパートのプレビューを提供される。
【００５１】
更には、前記ＲＧＢ値判断プログラム４００は、複数の画像を連続的に処理する自動処理機能、分析する画像に目盛りを１０ピクセル単位で表示する目盛り表示機能、分析する画像を二値(白黒)で処理する二値処理機能などを行う。
【００５２】
例えば、ユーザが「自動処理」チェックボックスを活性化すると、前記ＲＧＢ値判断プログラム４００は、「picture(Number)」(Number:１以上の数)フォーマットの名称を有する画像の一体を、連続的に分析し保存する。
【００５３】
図７は、図１の画像処理基盤の水分及び光透過度測定システム１０を用いた水分及び光透過度測定方法３０を示すフローチャートである。
【００５４】
前述したように、前記画像処理基盤の水分及び光透過度測定システム１０により、コーティング素材でコーティングされたコート紙１００の水分及び光透過度を測定することによって、実質的に、金属を前記コーティング素材でコーティングしなくても、金属のコート性評価を行うことができる。
【００５５】
前記コーティング素材のコーティングは、様々な工程により行われ、工程手順、工程時間によりコーティングの完成度に影響し、この他にも、コーティング素材の種類、コーティング素材の厚さなどによっても、コーティングの完成度に影響することがある。
【００５６】
そこで、それぞれのコーティング条件による水分透過程度と光透過程度のようなコーティング程度を測定することで、コーティング完成度を評価することができ、このため、本実施例では、まず、前記コート紙１００を、前記コーティング素材でコーティングする(ステップＳ１００)。
【００５７】
その後、前記コーティングされたコート紙１００を撮影して、第１及び第２の画像を取得する(ステップＳ２００)。
【００５８】
この場合、前述したように、前記第１の画像は、前記撮影用ボックス部２００を用いて、前記コート紙１００を撮影することによって取得され、前記第２の画像は、前記顕微鏡３００を用いて、前記コート紙１００を撮影することによって取得される。
【００５９】
前記第１及び第２の画像を取得すると、前記ＲＧＢ値判断プログラム４００により、前記取得した第１及び第２の画像のそれぞれを分析し、前記第１及び第２の画像のそれぞれから、ＲＧＢ値を取得することができる(ステップＳ３００)。
【００６０】
例えば、前記第１の画像から前記ＲＧＢ値を取得した場合、前記コート紙１００は、コーティングが正しく行われていないため、水分を吸収するようになると濡れて、青色から赤色への色変化を示すので、前記ＲＧＢ値にてＲ値が高いほど、コーティング完成度は落ちることと評価することができる。
【００６１】
他の例として、前記第２の画像から前記ＲＧＢ値を取得した場合、前記コート紙１００は、コーティングが正しく行われていなく、光を透過することになると、照度が高くなるので、前記ＲＧＢ値が大きいほど、コーティングの完成度が落ちることと評価することができる。
【００６２】
以上のように、本実施例では、前記第１及び第２の画像のそれぞれのＲＧＢ値から、コーティングの水分透過度及び光透過度のそれぞれを測定し(ステップＳ４００)、これにより、全体的なコーティングの完成度を評価することができる。
【００６３】
本実施例によると、高価な装備や分析用サービスを要することなく、政略的にコート性能を評価することができ、相対的に装置の構造を簡素化して、設置スペースが狭く、コストや運営及びメインテナンスの面においても、有利な点を提供することができる。
【００６４】
また、コーティングされた紙の水分透過度及び光透過度の測定により、コーティング完成度を評価することで、実質的に金属をコーティングしなくても、金属のコート性評価のためのシミュレート実験が可能である。
【００６５】
前記では、本発明の好適な実施例を参照して説明したが、当該技術の分野における熟練した当業者は、下記の特許請求の範囲に記載された本発明の思想及び領域から逸脱しない範囲内で、本発明を種々に修正及び変更できることを理解するだろう。
【図１】
2021535396.tif 000003
【図２】
2021535396.tif 000004
【図３】
2021535396.tif 000005
【図４】
2021535396.tif 000006
【図５】
2021535396.tif 000007
【図６ａ】
2021535396.tif 000008
【図６ｂ】
2021535396.tif 000009
【図７】
2021535396.tif 000010
【国際調査報告】
2021535396.tif 000011
2021535396.tif 000012
2021535396.tif 000013
2021535396.tif 000014